(57)【要約】【課題】  網戸の振れと外れを防止でき、少ない部品点数でコスト高になることがなく、スライダーを網戸の外れを防止する位置と建込みをする位置に位置決めできる網戸用振れ止め具を提供する。【解決手段】  本発明の網戸用振れ止め具１において、スライダー１７は、その操作部１７ａを室外側に押すことにより室外側に弾性変形して係止部が被係止部から外れて網戸走行方向にスライド自在になり、スライダー１７が外れ止めアーム側にスライドし係止部３１が外れ止めアーム側の被係止部２１ｃに弾性復帰により係止したときに、外れ止めアーム１３が下方に回動するのを規制し、係止部３１が外れ止めアーム側の被係止部２１ｃよりも外れ止めアーム１３から離れた位置にある被係止部２１ａに弾性復帰により係止したときに、外れ止めアーム１３がアーム当接部１７ｂよりも下方に回動自在になる。【選択図】      図１
2007051511.tif 000002
【特許請求の範囲】
【請求項１】
振れ止め本体と、外れ止めアームと、付勢部材と、スライダーとを備え、振れ止め本体は上枠レールの案内溝と被係止部とを有し、被係止部は網戸走行方向に沿って複数設けてあり、外れ止めアームは下端部を室内外方向の軸により振れ止め本体に回動自在に取付けてあり、上端部に上枠レール下端との当接部を有し、付勢部材は外れ止めアームと振れ止め本体との間に設けてあり、外れ止めアームの上端部を常時上方に向けて付勢しており、スライダーは、アーム当接部と操作部と係止部とを有し、網戸走行方向にスライド自在に振れ止め本体に取付けてあり、操作部を室外側に押すことにより室外側に弾性変形して係止部が被係止部から外れて網戸走行方向にスライド自在になり、スライダーが外れ止めアーム側にスライドし係止部が複数の被係止部のうちの外れ止めアーム側の被係止部に弾性復帰により係止したときに、アーム当接部が外れ止めアームの下面に当接して外れ止めアームが下方に回動するのを規制し、スライダーが外れ止めアームと離間する位置にスライドし係止部が外れ止めアーム側の被係止部よりも外れ止めアームから離れた位置にある被係止部に弾性復帰により係止したときに、外れ止めアームがアーム当接部よりも下方に回動自在になることを特徴とする網戸用振れ止め具。
【発明の詳細な説明】
【技術分野】
【０００１】
本発明は、網戸用振れ止め具に関する。
【背景技術】
【０００２】
回動自在に設けた外れ止めアームの上端部を付勢部材により上方に向けて付勢して上端部を上枠レールの下端に当接するようにし、スライダーのスライド操作により、スライダーのアーム当接部に外れ止めアームの下面が当接して外れ止めアームが下方に向けて回動するのを規制する当接位置と、非当接位置とにスライダーを位置決めすることが特許文献１に開示されている。当接位置では、網戸が持ち上げられたときに網戸の外れを防止し、非当接位置に位置決めすることで網戸の建込みができるようにしたものである。
この特許文献１では、スライダーを外れ止めアームの付勢部材と別に設けたスライダー用の付勢部材により常時当接位置に向けて付勢することにより当接位置に位置決めし、スライダーを付勢部材の付勢力に抗してスライド操作し、スライダーを外れ止めアームに係止することにより非当接位置に位置決めしている。
【０００３】
【特許文献１】実用新案登録第２５３９１９２号公報
【発明の開示】
【発明が解決しようとする課題】
【０００４】
特許文献１は、網戸の外れを防止する位置（当接位置）と建込みをする位置（非当接位置）とにスライダーを位置決めする為に、スライダーを常時付勢するスライダー用の付勢部材が必要になるので、部品点数が増え、コスト高になるという問題がる。
【０００５】
そこで、本発明は、網戸の振れと外れを防止でき、少ない部品点数でコスト高になることがなく、スライダーを網戸の外れを防止する位置と建込みをする位置に位置決めできる網戸用振れ止め具の提供を目的とする。
【課題を解決するための手段】
【０００６】
請求項１に記載の発明は、振れ止め本体と、外れ止めアームと、付勢部材と、スライダーとを備え、振れ止め本体は上枠レールの案内溝と被係止部とを有し、被係止部は網戸走行方向に沿って複数設けてあり、外れ止めアームは下端部を室内外方向の軸により振れ止め本体に回動自在に取付けてあり、上端部に上枠レール下端との当接部を有し、付勢部材は外れ止めアームと振れ止め本体との間に設けてあり、外れ止めアームの上端部を常時上方に向けて付勢しており、スライダーは、アーム当接部と操作部と係止部とを有し、網戸走行方向にスライド自在に振れ止め本体に取付けてあり、操作部を室外側に押すことにより室外側に弾性変形して係止部が被係止部から外れて網戸走行方向にスライド自在になり、スライダーが外れ止めアーム側にスライドし係止部が複数の被係止部のうちの外れ止めアーム側の被係止部に弾性復帰により係止したときに、アーム当接部が外れ止めアームの下面に当接して外れ止めアームが下方に回動するのを規制し、スライダーが外れ止めアームと離間する位置にスライドし係止部が外れ止めアーム側の被係止部よりも外れ止めアームから離れた位置にある被係止部に弾性復帰により係止したときに、外れ止めアームがアーム当接部よりも下方に回動自在になることを特徴とする。
【発明の効果】
【０００７】
請求項１に記載の発明によれば、操作部を室内側から室外側に押すことにより、スライダーが室外側に弾性変形して係止部が振れ止め本体の被係止部から外れ、その状態でスライダーを外れ止めアーム側にスライドし、弾性復帰することによりスライダーの係止部を外れ止めアーム側の被係止部に係止する。
外れ止めアームの上端部は付勢部材により上方に付勢されて上枠レールの下端に当接した位置にあり、この状態で網戸が持ち上げられると、外れ止めアームの上端部が上枠レールの下端に押されて下方に回動し、スライダーのアーム当接部に外れ止めアームの下面が当接して外れ止めアームの下方への回動を規制して、網戸の外れを防止する。
また、振れ止め本体は案内溝により上枠レールを案内して網戸が振れるのを防止する。
一方、網戸を外すときや網戸の建込み時には、スライダーの操作部を室外側に押すことにより弾性変形して係止部が被係止部から外れてスライダーが網戸走行方向にスライド自在になり、スライダーが外れ止めアームと離間する位置にスライドし係止部を外れ止めアーム側の被係止部よりも外れ止めアームから離れた位置にある被係止部に弾性復帰により係止して、アーム当接部を外れ止めアームとの非当接位置にする。この状態で、網戸の上框に上枠レールの下端を挿入するようにして網戸を突き上げると、外れ止めアームの上端部は上枠レール下端に押されて下方に回動するので、網戸を外したりあるいは建て込むことができる。
本発明によれば、スライダーは外れ止めアーム下面との当接位置と非当接位置とで、スライダーの係止部を振れ止め本体の被係止部に係止して位置決めし、スライダーを室外側に弾性変形して係止部を振れ止め本体の被係止部から外してスライドするので、スライダーを位置決めする為に付勢部材を設ける必要がなく、少ない部品点数でコスト高になることがない。
振れ止め本体に上枠レールを案内する案内溝を設けているので網戸の振れ止めができ、振れ止めと外れ止めとの２つの機能を奏することができる。
【発明を実施するための最良の形態】
【０００８】
以下に、添付図面を参照して本発明の実施の形態を説明するが、まず、図１〜図６を参照して本発明の第１実施の形態について説明する。図１は第１実施の形態にかかる網戸用振れ止め具を装着した網戸を室内側から見た正面図であり、（ａ）は建込み後の状態を示しており、（ｂ）は建込み時の状態を示す図であり、図２はスライダーを第３位置で係止したときに網戸を持ち上げた状態を示す正面図であり、図３は図１（ａ）に示す網戸の平面図であり、図４は図１（ａ）に示すＡ−Ａ位置で切断した網戸の断面図であり、図５は図１に示す振れ止め本体の図であり、（ａ）は正面図、（ｂ）は平面図、（ｃ）は側面図であり、図６は図１に示すスライダーの図であり、（ａ）は正面図、（ｂ）は平面図、（ｃ）は側面図である。
本発明の実施の形態にかかる網戸用振れ止め具１は、網戸３の上框５と左右の竪框７の各コーナ部に取付けて上枠レール９に対する網戸３の振れを防止するものであり、振れ止め本体１１と、外れ止めアーム１３と、付勢部材１５と、スライダー１７とを備えている。
振れ止め本体１１は、竪框７側の上端部に上枠レール９の下端が挿入される案内溝１９を備え、上框５側に室内側壁１１ａを備え、室内側壁１１ａにはスライダー１７が係止される複数の被係止部２１ａ〜２１ｃが設けてある。本実施の形態では、網戸走行方向に沿って、第１被係止部２１ａ、第２被係止部２１ｃと、第３被係止部２１ｂとの３つの被係止部が設けてある。各第１〜第３被係止部２１ａ〜２１ｃは各々室内外方向に貫通する孔である。
外れ止めアーム１３は下端部１３ａを室内外方向の軸２５により振れ止め本体１１に取付けてあり、上端部１３ｂには上枠レール９の下端との当接部２７が設けてある。当接部２７は車輪である。
付勢部材１５はねじりコイルばねであり、一端１５ａを振れ止め本体１１に係止し、他端１５ｂを外れ止めアーム１３に係止して、振れ止め本体１１に対して外れ止めアーム１３の上端部１３ｂを上方に向けて付勢している。
スライダー１７は操作部１７ａとアーム当接部１７ｂと係止部３１とを有している。操作部１７ａは上框５の室内側面に設けた操作孔５ａに配置してあり、操作部１７ａをスライド操作することにより、スライダー１７を下枠レール９の長手方向にスライドするようになっている。操作部１７ａには、十字の溝が形成してあり、プラスドライバやマイナスドライバを係合して操作するようになっている。
また、スライダー１７は、室内外方向に弾性変形する弾性部２９を有しており、弾性部２９の室内側面には係止部３１が設けてある。係止部３１は振れ止め本体１１の室内側壁１１ａに向けて突設する突起であり、弾性部２９の室外方向の弾性変形と室内方向の弾性復帰とに追従して振れ止め本体１１の室内側壁１１ａに対して室外方向に移動したり、室内方向に移動する。
係止部３１は操作部１７ａが弾性部２９により室外側に向けて弾性変形すると各被係止部２１ａ、２１ｂ、２１ｃとから外れ、各被係止部２１ａ、２１ｂ、２１ｃに対向する位置で弾性復帰することにより各被係止部２１ａ、２１ｂ、２１ｃに係止する。本実施の形態では、複数の被係止部２１ａ、２１ｂ、２１ｃのうち、第１被係止部２１ａは外れ止めアームから最も離れた位置にある被係止部であり、第２被係止部２１ｂ及び第３係止部２１ｃは外れ止めアーム側の被係止部である。
係止部３１が第１被係止部２１ａとの係止位置にあるときには（図１（ｂ）参照）スライダー１７のアーム当接部１７ｂは外れ止めアーム１３との非当接位置にあり、第２被係止部２１ｃとの係止位置（図１（ａ）参照）及び第３被係止部２１ｂとの係止位置（図２参照）にあるときにはスライダー１７のアーム当接部１７ｂが外れ止めアーム１３の下面１３ｃに当接する当接位置にある。本実施の形態では、係止部３１が第２被係止部２１ｃに係止した位置では外れ止めアーム１３がスライダー１７の先端にあるアーム当接部１７ｂに当接する位置にあり（図１（ａ））、係止部３１が第３被係止部２１ｂに係止した位置（図２）では外れ止めアーム１３が第２被係止部２１ｃの時よりも低い位置でスライダー１７のアーム当接部１７ｂに当接する。即ち、本実施の形態では、外れ止めアーム１３は２つの位置でスライダー１７のアーム当接部１７ｂに当接して外れ止めアームの回動を規制する高さを選択できるようになっている。
【０００９】
次に、第１実施の形態にかかる網戸用振れ止め具１の装着、作用及び効果について説明する。
上框５と縦枠８とのコーナ部に網戸用振れ止め具１を上から押し込むことにより、網戸用振れ止め具１を網戸３に装着する。
網戸３の建込み時には、上框５の操作孔５ａに位置する操作部１７ａにドライバーの先端を押し当てて、弾性部２９を室外側に弾性変形させる。これにより、振れ止め本体１１の被係止部２１から係止部３１が外れるので、弾性部材２９を弾性変形させたままスライダー１７を操作孔５ａの網戸中央部側端までスライドした後、ドライバーを外す。そうすると、弾性部２９は弾性復帰して、スライダー１７の係止部３１は振れ止め本体１１の第１被係止部２１ａに係止する。係止部３１が第１被係止部２１ａに係止した状態では、図１（ｂ）に示すように、スライダー１７のアーム当接部１７ｂが外れ止めアーム１３との非当接位置にあり、外れ止めアーム１３は下方への回動が規制されていないので、網戸３の上框５を上枠レール９の下端から挿入して網戸を突き上げると、外れ止めアーム１３の上端部１３ｂは上枠レール９の下端に押されて下方に回動して、網戸をけんどん方式により建て込むことができる。
網戸の建込み後に、スライダー１７の操作部１７ａに建込み時と同様にドライバーを押し付けて操作孔５ａの竪框７側端までスライドして、ドライバーを外す。これにより、弾性部２９は弾性復帰して、係止部３１は第２被係止部２１ｃ又は第３被係止部２１ｂに係止するので、各位置でスライダー１７が位置決めされる。
係止部３１を第２係止部２１ｃに係止した位置では、図１（ａ）に示すように、スライダー１７のアーム当接部１７ｂは外れ止めアーム１３の下面１３ｃとの当接位置にある。
外れ止めアーム１３の上端部１３ｂは付勢部材１５により上方に付勢されて上枠レール９の下端に当接した位置にあり、この状態で網戸３が持ち上げられると、外れ止めアーム１３の上端部１３ｂが上枠レール９に押されて下方に回動するが、スライダー１７のアーム当接部１７ｂに外れ止めアーム１３の下面１３ｃが当接して外れ止めアーム１３の下方への回動を規制するので、網戸３の外れを防止する。
また、スライダー１７のアーム当接部１７ｂに外れ止めアーム１３の下面との当接位置を図１（ａ）に示す当接位置よりも低く設定したい場合には（図２参照）、スライダー１７の操作部１７ａをスライドして、係止部３１を第１被係止部２１ａと第２被係止部２１ｃとの間にある第３被係止部２１ｂに係止する。
一方、振れ止め本体１１の案内溝１９には上枠レール９が挿入して、網戸の振れを防止している。
【００１０】
本実施の形態によれば、スライダー１７の係止部３１は各被係止部２１ａ〜２１ｃに係止して、スライダー１７のアーム当接部１７ｂと外れ止めアーム下面１３ｃとの当接位置と非当接位置とに位置決めし、弾性部２９を弾性変形させてスライダー１７の係止部を振れ止め本体１１の各被係止部２１ａ〜２１ｃから外してスライドするので、スライダー１７を位置決めする為に、付勢部材を設ける必要がなく、少ない部品点数でコスト高になることがない。
振れ止め本体１１に上枠レール９を案内する案内溝１９を設けているので、網戸３の振れ止めができ、振れ止めと外れ止めとの２つの機能を奏することができる。
スライダー１７のアーム当接部１７ｂと外れ止めアーム下面１３ｃとの当接位置を、当接高さの異なる位置で係止する２つの被係止部２１ｂ及び２１ｃを設けているので、必要に応じて網戸が持ち上げられたときの外れ防止高さを変更できる。
上枠レール９との当接部２７を車輪にしているので、網戸３の走行をスムーズに行うことができる。
【００１１】
次に、図７〜図１２を参照して本発明の第２実施の形態を説明するが、以下に説明する実施の形態において、上述した第１実施の形態と同様の作用効果を奏する部分には、同一の符号を付することにより、その部分の詳細な説明を省略し、第１実施の形態と主に異なる点を説明する。
図７は第２実施の形態にかかる網戸用振れ止め具を装着した網戸を室内側から見た正面図であり、（ａ）は建込み後の状態を示しており、（ｂ）は建込み時の状態を示す図であり、図８は図７（ａ）に示す網戸の平面図であり、図９は図７（ａ）に示すＢ−Ｂ位置で切断した網戸の断面図であり、図１０は図７に示す振れ止め本体を構成するスライダー保持部品の図であり、（ａ）は正面図、（ｂ）は平面図、（ｃ）は側面図であり、図１１は図７に示す振れ止め本体を構成する振れ止め部品の図であり、（ａ）は正面図、（ｂ）は平面図、（ｃ）は側面図であり、図１２は図７に示すスライダーの図であり、（ａ）は正面図、（ｂ）は平面図、（ｃ）は側面図である。
この第２実施の形態では、スライダー１７の操作部１７ａが係止部３１を兼ねていることが上述した第１実施の形態と異なっている。また、振れ止め本体１１には、室内側壁１１ａに第１被係止部２１ａと第２被係止部２１ｃとの２つの被係止部が設けてある。２つの被係止部２１ａ、２１ｂは各々スライダー１７の操作部１７ａが入り込む孔であり、第１被係止部２１ａと第２被係止部２１ｃとは、ドライバー等の操作治具を移動する為の孔３３により連通してある。連通孔３３は、第１被係止部２１ａと第２被係止部２１ｃよりも幅が狭くなっており、操作部１７ａが、第１被係止部２１ａと第２被係止部２１ｃとの位置で各係止孔内に係止できるようになっている。第１被係止部２１ａは外れ止めアームから最も離れた位置にある係止部であり、第２被係止部２１ｃはアーム側の係止部である。
尚、上框５には第１被係止部２１ａ、第２被係止部２１ｃ及び連通孔３３に対応した形状の操作孔５ａが形成されている。
室内側壁１１ａにはスライダー１７のスライドを案内する案内溝３７が設けてあり、スライダー１７の室内側面に設けた突部３６が案内溝３７に案内されてスライダー１７がスライドするようになっている。
振れ止め本体１１には、室内側壁１１ａと室外側壁１１ｂを有するスライダー保持部１２と振れ止め溝を有する振れ止め部１４とが別体に設けてあり、スライダー保持部１２と振れ止め部１４とは嵌合部３５により嵌合して一体にしてある。
この第２実施の形態では、スライダー１７の操作部１７ａが第１被係止部２１ａにあるときにはスライダー１７のアーム当接部１７ｂは外れ止めアーム１３との非当接位置にあり、網戸の建込みを可能にしている。第２被係止部２１ｃにあるときには、スライダー１７のアーム当接部１７ｂが外れ止めアーム１３の下面１３ｃと当接する位置にあり網戸の外れを防止する。
【００１２】
この第２実施の形態によれば、スライダー１７の係止部３１は振れ止め本体１１の各被係止部２１ａ、２１ｂに係止して、スライダー１７のアーム当接部１７ｂと外れ止めアーム下面１３ｃとの当接位置と非当接位置とに位置決めし、弾性部２９を弾性変形させて各被係止部２１ａ、２１ｂから外してスライダー１７をスライドするので、スライダー１７を位置決めする為に、スライダー用の付勢部材を設ける必要がなく、少ない部品点数でコスト高になることがない。
振れ止め本体１１に上枠レール９を案内する案内溝１９を設けているので、網戸３の振れ止めができ、振れ止めと外れ止めとの２つの機能を奏することができる。
上枠レール９との当接部２７を車輪にしているので、網戸３の走行をスムーズに行うことができる。
振れ止め本体１１はスライダー保持部１２と振れ止め部１４とを嵌合により一体に組み立てているので、必要に応じて振れ止め部１４やスライダー保持部１２を単体で利用することもできる。
【００１３】
本発明は、上述した実施の形態に限らず、本発明の要旨を逸脱しない範囲で種々変形可能である。
例えば、第１実施の形態において、被係止部２１を第１〜第３被係止部２１ａ、２１ｂ、２１ｃの３つとしたが、第２被係止部２１ｃ又は第３被係止部２１ｂはいずれか一方のみとして合計２箇所でスライダーを係止するものであってもよい。
また、第２実施の形態において、第１実施の形態と同様に被係止部２１ａ、２１ｂ、２１ｃの３箇所設けるものであってもよい。
外れ止めアーム１３の上端部１３ａに設けた上枠レール９との当接部２７は車輪に限らず、外れ止めアーム１３の上端面としてもよい。
スライダー１７と外れ止めアーム１３の下面との当接は、外れ止めアーム１３の上端部１３ｂに限らず、外れ止めアーム１３の上端部１３ｂと下端部１３ａの間であってもよい。
【図面の簡単な説明】
【００１４】
【図１】第１実施の形態にかかる網戸用振れ止め具を装着した網戸を室内側から見た正面図であり、（ａ）は建込み後の状態を示しており、（ｂ）は建込み時の状態を示す図である。
【図２】図１に示す網戸において、スライダーを第３位置で係止したときに網戸を持ち上げた状態を示す正面図である。
【図３】図１（ａ）に示す網戸の平面図である。
【図４】図１（ａ）に示すＡ−Ａ位置で切断した網戸の断面図である。
【図５】図１に示す振れ止め本体の図であり、（ａ）は正面図、（ｂ）は平面図、（ｃ）は側面図である。
【図６】図１に示すスライダーの図であり、（ａ）は正面図、（ｂ）は平面図、（ｃ）は側面図である。
【図７】第２実施の形態にかかる網戸用振れ止め具を装着した網戸を室内側から見た正面図であり、（ａ）は建込み後の状態を示しており、（ｂ）は建込み時の状態を示す図である。
【図８】図７（ａ）に示す網戸の平面図である。
【図９】図７（ａ）に示すＢ−Ｂで切断した網戸の断面図である。
【図１０】図１に示す振れ止め本体のスライダー保持部の図であり、（ａ）は正面図、（ｂ）は平面図、（ｃ）は側面図である。
【図１１】図７に示す振れ止め本体を構成する振れ止め部の図であり、（ａ）は正面図、（ｂ）は平面図、（ｃ）は側面図である。
【図１２】図７に示すスライダーの図であり、（ａ）は正面図、（ｂ）は平面図、（ｃ）は側面図である。
【符号の説明】
【００１５】
１      網戸用振れ止め具
３      網戸
９      上枠レール
１１    振れ止め本体
１３    外れ止めアーム
１３ａ  下端部
１３ｂ  上端部
１３ｃ  下面
１５    付勢部材
１７    スライダー
１７ａ  操作部
１７ｂ  アーム当接部
１９    案内溝
２１ａ、２１ｂ、２１ｃ    被係止部
２５    軸
２７    当接部
２９    弾性部
３１    係止部
【図１】
2007051511.tif 000003
【図２】
2007051511.tif 000004
【図３】
2007051511.tif 000005
【図４】
2007051511.tif 000006
【図５】
2007051511.tif 000007
【図６】
2007051511.tif 000008
【図７】
2007051511.tif 000009
【図８】
2007051511.tif 000010
【図９】
2007051511.tif 000011
【図１０】
2007051511.tif 000012
【図１１】
2007051511.tif 000013
【図１２】
2007051511.tif 000014